(57)【要約】  本技術の一形態に係る情報処理方法は、コンピュータにより実行される情報処理方法であって、第１の装置から送信されるビーコン信号をもとに前記第１の装置を検出し、前記検出された第１の装置と前記コンピュータとを通信可能に接続することを含む。通信可能に接続された前記第１の装置から受信した信号の強度をもとに、前記コンピュータから前記第１の装置までの距離が算出される。前記算出された距離が所定の閾値以下の場合に、前記第１の装置と第２の装置とを通信可能に接続させるための設定情報が、前記第１の装置に送信される。
2017110035.tif 000002
【特許請求の範囲】
【請求項１】
コンピュータにより実行される情報処理方法であって、
第１の装置から送信されるビーコン信号をもとに前記第１の装置を検出し、前記検出された第１の装置と前記コンピュータとを通信可能に接続し、
通信可能に接続された前記第１の装置から受信した信号の強度をもとに、前記コンピュータから前記第１の装置までの距離を算出し、
前記算出された距離が所定の閾値以下の場合に、前記第１の装置と第２の装置とを通信可能に接続させるための設定情報を、前記第１の装置に送信する
情報処理方法。
【請求項２】
請求項１に記載の情報処理方法であって、
前記算出ステップは、前記第１の装置へ所定の問い合わせ信号を送信し、前記第１の装置からの前記問い合わせ信号に対する応答信号の強度をもとに、前記距離を算出する
情報処理方法。
【請求項３】
請求項１に記載の情報処理方法であって、
前記算出ステップは、前記第１の装置から受信した前記ビーコン信号の強度をもとに、前記距離を算出する
情報処理方法。
【請求項４】
請求項１に記載の情報処理方法であって、さらに、
前記コンピュータから前記第１の装置までの距離が前記閾値以下となるように、前記コンピュータのユーザを案内する案内情報を出力する
情報処理方法。
【請求項５】
請求項１に記載の情報処理方法であって、さらに、
前記ビーコン信号をもとに検出された前記第１の装置を、前記コンピュータが有する表示部に表示し、
前記接続ステップは、前記表示部に表示された前記第１の装置に対するユーザの選択操作に応じて、当該選択された第１の装置と前記コンピュータとを接続する
情報処理方法。
【請求項６】
請求項５に記載の情報処理方法であって、
前記表示ステップは、前記検出された第１の装置の前記第２の装置との接続に関する状態情報を表示する
情報処理方法。
【請求項７】
請求項５に記載の情報処理方法であって、
前記表示ステップは、前記コンピュータから前記検出された第１の装置までの距離を、前記表示部に表示する
情報処理方法。
【請求項８】
請求項１に記載の情報処理方法であって、
前接続ステップは、ＢＬＥ（Bluetooth Low Energy）規格に準拠した前記ビーコン信号をもとに、前記第１の装置と前記コンピュータとをＢＬＥ通信が可能に接続し、
前記送信ステップは、前記ＢＬＥ通信を介して、前記設定情報を送信する
情報処理方法。
【請求項９】
請求項１に記載の情報処理方法であって、
前記第２の装置は、無線ネットワークを構築するアクセスポイントであり、
前記送信ステップは、前記アクセスポイントを識別するＳＳＩＤ（Service Set Identifier）、及びパスワードを含む前記設定情報を送信する
情報処理方法。
【請求項１０】
請求項１に記載の情報処理方法であって、
前記第２の装置は、前記コンピュータであり、
前記送信ステップは、Bluetooth（登録商標）アドレス、及びペアリングの要求を含む前記設定情報を送信する
情報処理方法。
【請求項１１】
請求項１に記載の情報処理方法であって、
前記第１の装置は、コンテンツを再生可能な再生装置であり、
前記情報処理方法は、さらに、前記無線ネットワークを介して前記再生装置にコンテンツ再生の指示を送信する
情報処理方法。
【請求項１２】
請求項１に記載の情報処理方法であって、
前記接続ステップは、複数の第１の装置を検出し、前記検出された複数の第１の装置の各々と前記コンピュータとを接続し、
前記送信ステップは、通信可能に接続された前記複数の第１の装置の各々に対して、前記コンピュータとの距離が前記閾値以下となる場合に、前記設定情報を送信する
情報処理方法。
【請求項１３】
第１の装置から送信されるビーコン信号をもとに前記第１の装置を検出し、前記検出された第１の装置と前記コンピュータとを通信可能に接続するステップと、
通信可能に接続された前記第１の装置から受信した信号の強度をもとに、前記コンピュータから前記第１の装置までの距離を算出するステップと、
前記算出された距離が所定の閾値以下の場合に、前記第１の装置と第２の装置とを通信可能に接続させるための設定情報を、前記第１の装置に送信するステップと
をコンピュータに実行させるプログラム。
【請求項１４】
ビーコン信号を出力する第１の装置と、
第２の装置と、
前記第１の装置から送信される前記ビーコン信号をもとに前記第１の装置を検出し、前記検出された第１の装置に通信可能に接続可能な接続部と、
通信可能に接続された前記第１の装置から受信した信号の強度をもとに、前記第１の装置までの距離を算出する算出部と、
前記算出された距離が所定の閾値以下の場合に、前記第１の装置と前記第２の装置とを通信可能に接続させるための設定情報を、前記第１の装置に送信する送信部と
を有するコンピュータと
を具備する情報処理システム。
【発明の詳細な説明】
【技術分野】
【０００１】
本技術は、例えばネットワーク対応機器とアクセスポイントとの無線接続等に適用可能な情報処理方法、プログラム、及び情報処理システムに関する。
【背景技術】
【０００２】
従来、無線ネットワークにネットワーク対応のオーディオ機器等を接続し、音楽や映像等のコンテンツを再生するシステムが知られている。例えば特許文献１には、その図１や図２に示されるように、ポータブル機器、スピーカシステム等のアクセサリ、及びアクセスポイントを備えたネットワークシステムについて開示されている（特許文献１の明細書段落［００１６］−［００１８］等）。【０００３】
引用文献１に記載のネットワークシステムでは、ポータブル機器及びアクセサリが、有線により物理的に、あるいはBluetooth（登録商標）又はＢＬＥ（Bluetooth Low Energy）等の無線通信により接続されている。その状態でポータブル機器からアクセサリに、無線ネットワークのためのＳＳＩＤ（Service Set Identifier）やアクセスキー等が送信される。アクセサリは、受信したＳＳＩＤ等を使用することで、アクセスポイントにより管理される無線ネットワークに接続可能となる（特許文献１の明細書段落［００１１］［００２０］［００２２］等）。
【先行技術文献】
【特許文献】
【０００４】
【特許文献１】特表２０１４−５２７３２７号公報
【発明の概要】
【発明が解決しようとする課題】
【０００５】
例えば家庭内に無線ネットワークを構築し、各部屋に配置された複数のオーディオ機器等を接続させるとする。このような場合に、無線ネットワーク内のアクセスポイントに、各オーディオ機器等を簡単かつ安全に接続することが可能となる技術が求められる。【０００６】
以上のような事情に鑑み、本技術の目的は、アクセスポイントへの接続を簡単かつ安全に実行可能とする情報処理方法、プログラム、及び情報処理システムを提供することにある。
【課題を解決するための手段】
【０００７】
上記目的を達成するため、本技術の一形態に係る情報処理方法は、コンピュータにより実行される情報処理方法であって、第１の装置から送信されるビーコン信号をもとに前記第１の装置を検出し、前記検出された第１の装置と前記コンピュータとを通信可能に接続することを含む。
通信可能に接続された前記第１の装置から受信した信号の強度をもとに、前記コンピュータから前記第１の装置までの距離が算出される。
前記算出された距離が所定の閾値以下の場合に、前記第１の装置と第２の装置とを通信可能に接続させるための設定情報が、前記第１の装置に送信される。【０００８】
この情報処理方法では、第１の装置から送信されるビーコン信号をもとにコンピュータと第１の装置とが通信可能に接続される。従って第１の装置との接続が簡単に実現可能となる。また第１の装置までの距離が所定の閾値以下となった場合に、第１の装置に、第２の装置との接続のための設定情報が送信される。これによりセキュリティの向上を図ることができる。本技術をネットワーク対応機（第１の装置）及びアクセスポイント（第２の装置）に適用することで、アクセスポイントへの接続が簡単かつ安全に実行可能となる。【０００９】
前記算出ステップは、前記第１の装置へ所定の問い合わせ信号を送信し、前記第１の装置からの前記問い合わせ信号に対する応答信号の強度をもとに、前記距離を算出してもよい。
これにより所望のタイミングで距離を算出することが可能となる。【００１０】
前記算出ステップは、前記第１の装置から受信した前記ビーコン信号の強度をもとに、前記距離を算出してもよい。
これにより簡単に距離を算出することができる。【００１１】
前記情報処理方法は、さらに、前記コンピュータから前記第１の装置までの距離が前記閾値以下となるように、前記コンピュータのユーザを案内する案内情報を出力することを含んでもよい。
これにより第１及び第２の装置の接続が簡単に実行可能となる。【００１２】
前記情報処理方法は、さらに、前記ビーコン信号をもとに検出された前記第１の装置を、前記コンピュータが有する表示部に表示することを含んでもよい。この場合、前記接続ステップは、前記表示部に表示された前記第１の装置に対するユーザの選択操作に応じて、当該選択された第１の装置と前記コンピュータとを接続してもよい。
これにより第２の装置との接続を所望する第１の装置を確実に選択することが可能となり、高いセキュリティが実現する。【００１３】
前記表示ステップは、前記検出された第１の装置の前記第２の装置との接続に関する状態情報を表示してもよい。
これによりユーザは、検出された第１の装置の接続状態を簡単に確認することが可能となる。【００１４】
前記表示ステップは、前記コンピュータから前記検出された第１の装置までの距離を、前記表示部に表示してもよい。
これによりユーザは、検出された第１の装置を直感的に把握することができる。【００１５】
前接続ステップは、ＢＬＥ（Bluetooth Low Energy）規格に準拠した前記ビーコン信号をもとに、前記第１の装置と前記コンピュータとをＢＬＥ通信が可能に接続してもよい。この場合、前記送信ステップは、前記ＢＬＥ通信を介して、前記設定情報を送信してもよい。
ＢＬＥ通信はペアリングすることなく接続が実現可能であり、第１の装置との接続が容易に実現可能である。【００１６】
前記第２の装置は、無線ネットワークを構築するアクセスポイントであってもよい。この場合、前記送信ステップは、前記アクセスポイントを識別するＳＳＩＤ（Service Set Identifier）、及びパスワードを含む前記設定情報を送信してもよい。
これによりアクセスポイントへの接続を簡単かつ安全に実行可能となる。【００１７】
前記第２の装置は、前記コンピュータであってもよい。この場合、前記送信ステップは、Bluetooth（登録商標）アドレス、及びペアリングの要求を含む前記設定情報を送信してもよい。
これによりコンピュータと第１の装置とのBluetoothペアリングを簡単かつ安全に実行することが可能となる。【００１８】
前記第１の装置は、コンテンツを再生可能な再生装置であってもよい。この場合、前記情報処理方法は、さらに、前記無線ネットワークを介して前記再生装置にコンテンツ再生の指示を送信してもよい。
本技術を用いることで、コンテンツの再生システムを簡単かつ安全に構築することが可能となる。【００１９】
前記接続ステップは、複数の第１の装置を検出し、前記検出された複数の第１の装置の各々と前記コンピュータとを接続してもよい。この場合、前記送信ステップは、通信可能に接続された前記複数の第１の装置の各々に対して、前記コンピュータとの距離が前記閾値以下となる場合に、前記設定情報を送信してもよい。
これにより複数の第１の装置を簡単かつ安全に第２の装置に接続可能となる。【００２０】
本技術の一形態に係るプログラムは、以下のステップをコンピュータに実行させる。
第１の装置から送信されるビーコン信号をもとに前記第１の装置を検出し、前記検出された第１の装置と前記コンピュータとを通信可能に接続するステップ。
通信可能に接続された前記第１の装置から受信した信号の強度をもとに、前記コンピュータから前記第１の装置までの距離を算出するステップ。
前記算出された距離が所定の閾値以下の場合に、前記第１の装置と第２の装置とを通信可能に接続させるための設定情報を、前記第１の装置に送信するステップ。【００２１】
本技術の一形態に係る情報処理システムは、第１の装置と、第２の装置と、コンピュータとを具備する。
前記第１の装置は、ビーコン信号を出力する。
前記コンピュータは、接続部と、算出部と、送信部とを有する。
前記接続部は、前記第１の装置から送信される前記ビーコン信号をもとに前記第１の装置を検出し、前記検出された第１の装置に通信可能に接続可能である。
前記算出部は、通信可能に接続された前記第１の装置から受信した信号の強度をもとに、前記第１の装置までの距離を算出する。
前記送信部は、前記算出された距離が所定の閾値以下の場合に、前記第１の装置と前記第２の装置とを通信可能に接続させるための設定情報を、前記第１の装置に送信する。
【発明の効果】
【００２２】
以上のように、本技術によれば、アクセスポイントへの接続が簡単かつ安全に実行可能となる。なお、ここに記載された効果は必ずしも限定されるものではなく、本開示中に記載されたいずれかの効果であってもよい。
【図面の簡単な説明】
【００２３】
【図１】一実施形態に係るコンテンツ再生システムの構成例を示す概略図である。
【図２】携帯端末の構成例を示すブロック図である。
【図３】再生装置、アクセスポイント及び携帯端末接続形態を模式的に示す図である。
【図４】再生装置のネットワーク設定の動作例を示すシーケンス図である。
【図５】ネットワーク設定時にタッチパネルに表示されるＧＵＩの一例を示す図である。
【図６】ネットワーク設定時にタッチパネルに表示されるＧＵＩの一例を示す図である。
【図７】検出された再生装置を表示するデバイスリストの他の構成例を示す図である。
【発明を実施するための形態】
【００２４】
以下、本技術に係る実施形態を、図面を参照しながら説明する。
【００２５】
［コンテンツ再生システム］
図１は、本技術に係る情報処理システムの一実施形態であるコンテンツ再生システムの構成例を示す概略図である。コンテンツ再生システム１００は、家庭内に構築されたホームネットワーク１と、これに接続された複数の再生装置１０、コンテンツを提供するサーバ装置２０、及び携帯端末３０とを有する。
【００２６】
複数の再生装置１０、サーバ装置２０、及び携帯端末３０は、アクセスポイント５を介して、ＷｉＦｉ等の無線ＬＡＮ通信によりホームネットワーク１に接続される。従ってアクセスポイント５は、ホームネットワーク１を構築するデバイスの１つとなる。ホームネットワーク１としては、例えばＤＬＮＡ（登録商標）（Digital Living Network Alliance）規格に準拠したネットワークが用いられる。
【００２７】
この場合、複数の再生装置１０はＤＭＲ（Digital Media Renderer）として機能し、サーバ装置２０はＤＭＳ（Digital Media Server）として機能する。また携帯端末３０は、ＤＭＣ（Digital Media Controller）として機能する。なお他のプロトコルを利用したネットワークが構築される場合にも、本技術は適用可能である。
【００２８】
図１に示すように、複数の再生装置１０は、リビングルーム、ホビールーム、及びベッドルームの各部屋に配置される。携帯端末３０は、例えばＵＰｎＰ（Universal Plug and Play）の制御メッセージ等を用いて、各再生装置１０に、サーバ装置２０からコンテンツを取得して再生する指示を送信する。
【００２９】
従ってユーザ３は、携帯端末３０を操作することで、各部屋に配置された再生装置１０の再生動作を適宜制御することができる。なおグローバルネットワークやBluetooth（登録商標）等の近距離無線通信を利用して、再生装置１０にコンテンツを再生させることも可能である。
【００３０】
また本実施形態では、携帯端末３０を操作することで、再生装置１０をホームネットワーク１へ接続するための設定動作を簡単かつ安全に実行することができる。この点については、後に詳しく説明する。
【００３１】
本実施形態では、複数の再生装置１０により音楽コンテンツが再生される。しかしながら、本技術は、音楽コンテンツの再生に限定されず、映像等の種々のコンテンツの再生に適用可能である。また再生装置１０やサーバ装置２０等の数も限定されない。
【００３２】
再生装置１０としては、例えばテレビジョン装置、ＰＣ（Personal computer）、オーディオビデオレシーバ、ビデオモニタ、又は家庭用ゲーム機器等の、種々のＣＥ（Consumer Electronics）機器が用いられる。また車に搭載される車載オーディオ等も本技術に係る再生装置として使用可能である。
【００３３】
サーバ装置２０としては、例えばＰＣ又はネットワーク対応のＨＤＤ（ＮＡＳ）等が用いられる。携帯端末３０としては、典型的にはスマートフォンが用いられるが、これに限定されずタブレット端末等の種々のＰＤＡ（Personal Digital Assistant）が用いられてもよい。その他、種々のコンピュータが、本技術に係る情報処理装置として使用可能である。
【００３４】
［携帯端末の構成］
図２は、携帯端末３０の構成例を示すブロック図である。携帯端末３０は、ＣＰＵ（Central Processing Unit）３１、ＲＯＭ（Read Only Memory）３２、ＲＡＭ（Random Access Memory）３３、スピーカ３４、ディスプレイ３５、及びタッチパネル３６を有する。また携帯端末３０は、赤外線（ＩＲ）通信部３７、外部Ｉ／Ｆ（インタフェース）３８、キー／スイッチ３９、及び撮像部４０を有する。さらに携帯端末３０は、ネットワークモジュール４１、及びBluetoothモジュール４２を有する。
【００３５】
ＣＰＵ３１は、携帯端末３０の各ブロックと信号をやり取りして各種演算を行い、再生装置１０へのコンテンツの再生指示や、ディスプレイ３５（タッチパネル３６）へのＧＵＩ（Graphical User Interface）の表示等、携帯端末３０で実行される種々の処理を統括的に制御する。
【００３６】
ＲＯＭ３２は、種々の画像データやメタデータ等のＣＰＵ３１が処理する各種のデータや、アプリケーション等の各種のプログラムを記憶する。ＲＡＭ３３は、ＣＰＵ３１の作業領域として用いられる。アプリケーション等のプログラムが実行される際には、その実行に必要な各種データがＲＡＭ３３へ読み出される。
【００３７】
ＲＯＭ３２に代えて又は追加して、ＨＤＤ（Hard Disk Drive）や、フラッシュメモリ、その他の固体メモリ等の不揮発性メモリが設けられてもよい。そしてこれらの記憶デバイスに、上記した各種のデータやプログラムが記憶されてもよい。
【００３８】
スピーカ３４は、音楽コンテンツの再生やユーザ３への音声ガイド等を出力する。ディスプレイ３５は、例えば液晶やＥＬ（Electro-Luminescence）等を用いた表示デバイスであり、種々のＧＵＩ等を表示する。図２に示すように、ディスプレイ３５はタッチパネル３６と一体的に構成され、これらは本実施形態において、表示部として機能する。
【００３９】
ＩＲ通信部３７は、外部機器とＩＲ通信を実行するためのモジュールである。外部Ｉ／Ｆ３８は、例えばＵＳＢやＨＤＭＩ（登録商標）（High-Definition Multimedia Interface）等の規格に基づいて、外部機器と接続するためのインタフェースである。
【００４０】
キー／スイッチ部３９は、例えば電源スイッチ、ショートカットキー等、特にタッチパネル３６では入力できないユーザ３の操作等を受け付ける。撮像部４０は、例えばＣＭＯＳ（Complementary Metal Oxide Semiconductor）やＣＣＤ（Charge Coupled Devices）
センサ等を有し被写体のデジタル画像を生成する。
【００４１】
ネットワークモジュール４１は、ホームネットワーク１に接続するためのインタフェースであり、例えばＷｉＦｉ等の無線ＬＡＮモジュールが用いられる。ネットワークモジュール４１が動作することで、再生装置１０やサーバ装置２０との間で無線通信が可能となる。
【００４２】
Bluetoothモジュール４２は、複数の再生装置１０の各々との間で、Bluetooth規格に準拠した近距離無線通信を実行するためのモジュールである。本実施形態では、ＢＬＥ（Bluetooth Low Energy）規格に準拠した通信（ＢＬＥ通信）が可能であり、当該ＢＬＥ通信を介して、再生装置１０の動作を制御することが可能である。なおＢＬＥ通信を介した機器間の接続（ＢＬＥ接続）は、ペアリングを実行する形態と、ペアリングすることなく接続する形態のいずれもが可能である。以下ペアリングなしのＢＬＥ接続をペアリングレスの接続等と記載する場合がある。
【００４３】
またBluetoothモジュール４２は、ＢＬＥ規格に準拠したビーコン信号を受信することが可能である。受信したビーコン信号に含まれる情報はＣＰＵ３１に出力され、各種の処理が実行される。またビーコン信号の強度（電波強度）をもとに、ビーコン信号を出力した機器との距離を算出することも可能である。
【００４４】
なおBluetoothモジュール４２により、Classic Bluetooth規格に準拠した近距離無線通信（ＢＴ通信）が実行可能であってもよい。その他、本技術は、任意の規格に準拠した近距離無線通信及びビーコン信号に適用可能である。
【００４５】
上記のようなハードウェア構成を有する携帯端末３０による情報処理は、ＲＯＭ３２等に記憶されたソフトウェアと、携帯端末３０のハードウェア資源との協働により実現される。例えばＣＰＵ３１がＲＯＭ３２等に記憶された本技術に係るプログラム（アプリケーション）をＲＡＭ３３にロードして実行することにより、本技術に係る情報処理方法が実現される。
【００４６】
またＣＰＵ３１が所定のプログラムを実行することで、本技術に係る接続部、算出部、及び送信部等を含む、本技術に係る情報処理方法の各ステップを実行するブロックが実現される。もちろん各処理を実行するために専用のハードウェアが適宜用いられてもよい。
【００４７】
アプリケーション等のプログラムは、例えばグローバルネットワークから携帯端末３０にインストールされる。あるいは、記録媒体を介してプログラムが携帯端末３０にインストールされてもよい。
【００４８】
［再生装置のネットワーク設定］
携帯端末３０を用いて再生装置１０をホームネットワーク１に接続するネットワーク設定（ネットワーク初期設定ともいう）について説明する。図３は、その説明のための図であり、再生装置１０、アクセスポイント５、及び携帯端末３０接続形態を模式的に示す図である。以下に説明するネットワーク設定は、アクセスポイント５及び再生装置１０間の無線ＬＡＮ接続（矢印Ｌ２）を確立する動作である。
【００４９】
すなわち本実施形態では、コンテンツを再生可能な再生装置１０が第１の装置に相当する。また無線ネットワークであるホームネットワーク１を構築するアクセスポイント５が第２の装置に相当する。
【００５０】
携帯端末３０は、すでにアクセスポイント５と無線ＬＡＮ接続されている（矢印Ｌ１）。従って本実施形態に係るネットワーク設定は、携帯端末３０が有するアクセスポイント５への接続設定を再生装置１０に共有させる処理ともいえる。
【００５１】
再生装置１０には、無線ＬＡＮ通信のためのネットワークモジュール１１、及びＢＬＥ通信のためのBluetoothモジュール１２がそれぞれ設けられている。再生装置１０の電源がＯＮ状態（アクティブ状態及びスタンバイ状態の両方を含む）である場合、Bluetoothモジュール１２により、定期的にビーコン信号５０が出力される。
【００５２】
再生装置１０から送信されるビーコン信号５０には、再生装置１０の型番等の機器情報、Bluetoothアドレス等のユニークなＩＤ、及び他の機器との接続設定の情報等が含まれる。接続設定の情報は、他の機器との接続に関する状態情報に相当し、例えば無線ＬＡＮ接続やＢＬＥ接続の有無等を含む。
【００５３】
図４は、再生装置１０のネットワーク設定の動作例を示すシーケンス図である。図５及び図６は、ネットワーク設定時にタッチパネル３６に表示されるＧＵＩの構成例を示す図である。
【００５４】
再生装置１０により、所定の間隔でビーコン信号５０が送信される（ステップ１０１）。所定の間隔は限定されず、例えば７００ｍｓ−１０ｓ等である。携帯端末３０は、当該ビーコン信号５０を受信し、ビーコン信号５０に含まれている機器情報等を取得する。従って携帯端末３０は、ビーコン信号５０をもとに再生装置１０を検出することが可能である（ステップ１０２）。
【００５５】
図５Ａに示すように、携帯端末３０のタッチパネル３６には、検出された１以上の再生装置１０の情報４３がリスト表示される（同じくステップ１０２）。再生装置１０の情報４３は、例えば再生装置１０の機種の名称、アイコン、及び接続設定の情報等を含む。もちろんこれに限定されるわけではない。図５Ａに示す例では、他の機器との接続設定が行われていない再生装置１０が１つ表示されている。
【００５６】
ユーザ３によりタッチパネル３６に表示された再生装置１０に対して、選択操作が行われる（ステップ１０３）。当該選択動作に応じて、選択された再生装置１０に携帯端末３０からＢＬＥ接続の要求が送信される（ステップ１０４）。当該要求に応答することで、携帯端末３０及び再生装置１０がＢＬＥ接続状態となり、ＢＬＥ通信（図３の矢印Ｍ）が確立される（ステップ１０５）。
【００５７】
このように本実施形態では、ビーコン信号５０をもとに検出した再生装置１０がタッチパネル３６に選択可能に表示される。これによりアクセスポイント５との接続を所望する再生装置１０を、確実に選択することが可能となる。すなわちユーザ３が意図していない他の再生装置１０が、誤ってアクセスポイント５に接続されてしまうことを防止可能であり、高いセキュリティを実現することができる。
【００５８】
また検出された再生装置１０の情報として、他の機器との接続設定の情報が表示されるので、ユーザ３が接続を所望する再生装置１０の接続状態を簡単に把握することができる。これにより例えばすでにアクセスポイント５に接続されている再生装置１０に対して、ネットワーク設定を試みてしまうといった無駄な動作を防止することが可能となる。その結果、高い操作性を発揮することが可能となる。
【００５９】
なおステップ１０３の再生装置１０の選択の前、あるいはその後に、接続対象となるアクセスポイント５を選択するための選択画面が表示されてもよい。当該選択画面には、例えば接続可能な１以上のアクセスポイント５がリスト表示される。
【００６０】
携帯端末３０及び再生装置１０がＢＬＥ接続状態となると、図５Ｂに示すように、携帯端末３０のタッチパネル３６には、ネットワーク設定、すなわちアクセスポイント５への接続設定を実行する旨のＧＵＩ４４が表示される。ＧＵＩ４４の具体的な構成は限定されず、任意のテキスト及び画像等が用いられてよい。このことは図５及び６に示す他のＧＵＩについても同様である。
【００６１】
なお図５Ａに示す再生装置１０が選択されたタイミングで、図５ＢのＧＵＩ４４が表示されてもよい。その際には、ＢＬＥ接続を実行中の旨のＧＵＩやＢＬＥ接続が完了した旨のＧＵＩが表示されてもよい。
【００６２】
なお図４のステップ１０５に示すように、本実施形態では、携帯端末３０及び再生装置１０が、ペアリングレスで接続される。これにより例えば従来のBluetoothペアリングに必要なパスキー認証等の複雑な操作が不要となり、簡単に両機器を接続することが可能となる。この結果、再生装置１０のネットワーク設定を簡単に実行することが可能となる。
【００６３】
次にＢＬＥ通信を利用した近接認証が実行される。そのために携帯端末３０に対する再生装置１０の相対的な近接が検出される（ステップ１０６）。具体的には、ＢＬＥ通信を介して再生装置１０から受信したＢＬＥ信号の強度をもとに、携帯端末３０から再生装置１０までの距離が算出される。算出された距離が所定の閾値以下の場合に、認証が成功となる。
【００６４】
図５Ｃに示すように、携帯端末３０のタッチパネル３６には、携帯端末３０を再生装置１０に近付けることを促す旨のＧＵＩ４５が表示される。これらのＧＵＩ４５は、携帯端末３０から再生装置１０までの距離が閾値以下となるように、携帯端末３０のユーザ３を案内する案内情報に相当する。携帯端末３０から出力される案内情報は限定されない。
【００６５】
例えば案内情報として、再生装置１０までの距離をもとにした情報が表示されてもよい。例えば現在の距離、閾値までの距離の程度、又は具体的な閾値までの距離（現在の距離と閾値との差分）等が表示されてもよい。
【００６６】
例えば近接認証が成功となる閾値を１ｍ以内とすると、「モバイル機器を１ｍ以内に近付けてください」「１ｍ以内まであと少しです」「現在３ｍ離れています、あと２ｍ以上進んでください」等が挙げられる。なおスピーカ３４から音声にて、案内情報が出力されてもよい。このように種々の案内情報が出力されることで、アクセスポイント５への接続設定が簡単に実行可能となる。
【００６７】
図４のステップ１０７に示すように、本実施形態では、携帯端末３０から再生装置１０へ所定の問い合わせ信号が送信され、当該問い合わせ信号に対する応答信号の強度をもとに距離が算出される。問い合わせ信号は、再生装置１０から送信されるＢＬＥ信号の強度を問い合わせるための信号であり、再生装置１０からの応答信号を受けとることが可能な任意の信号が送信されてよい。問い合わせ信号は、例えば約５００ｍｓの間隔で送信され、略同様の間隔で再生装置１０までの距離が定期的に算出される。
【００６８】
再生装置１０から定期的に送信されるビーコン信号５０の強度をもとに、再生装置１０までの距離が算出されてもよい。これにより問い合わせ信号を生成して送信することなく、簡単に再生装置１０までの距離を算出することが可能となる。
【００６９】
一方で問い合わせ信号を送信する場合には、距離を算出するタイミング、距離算出の間隔を、携帯端末３０側で設定することが可能となる。例えば再生装置１０によるビーコン信号５０の送信間隔が比較的大きい場合には、距離算出の間隔も大きくなる。従ってユーザ３が携帯端末３０を閾値以内の距離に近付けたとしても、すぐには認証が成功とならないことが起こり得る。この結果、認証精度の低下や操作性の低下等が生じる可能性がある。
【００７０】
これに対して携帯端末３０側で、距離算出のタイミング、及び距離算出の間隔を適宜設定することで、近接認証の精度を高く維持することが可能となり、またユーザ３の操作性を向上させることが可能となる。なお近接認証が成功となる閾値は限定されず、適宜設定されてよい。
【００７１】
携帯端末３０から再生装置１０までの距離が閾値以下となり、近接認証が成功すると、図６Ａに示すように、ネットワーク設定の設定情報を入力するための入力画面４６が表示される。設定情報として入力される情報は、アクセスポイント５を識別するＳＳＩＤ（Service Set Identifier）、及びパスワードである。上記したように本実施形態では、携帯端末３０とアクセスポイント５とがすでに無線ＬＡＮ通信により接続されている。従ってＳＳＩＤは自動的に入力されてもよい。
【００７２】
ユーザにより設定情報が入力されＯＫボタン４７が選択されると、図６Ｂに示すように、接続中の状態である旨のＧＵＩ４８が表示される（ステップ１０８）。そしてＢＬＥ通信を介して、携帯端末３０から再生装置１０へ、ＳＳＩＤ及びパスワードを含む設定情報が送信される（ステップ１０９）。なお図４に示すアクセスポイント情報は設定情報に相当する。
【００７３】
再生装置１０は、携帯端末３０から送信された設定情報をもとに、無線ＬＡＮ接続、すなわちアクセスポイント５への接続を開始する（ステップ１１０）。再生装置１０によるアクセスポイント５への接続が完了すると（ステップ１１１）、ＢＬＥ通信を介して、携帯端末３０へ接続の完了通知が送信される（ステップ１１２）。
【００７４】
完了通知を受信した携帯端末３０は、図６Ｃに示すように、ネットワーク設定が完了した旨のＧＵＩ４９をタッチパネル３６に表示する（ステップ１１３）。これにより再生装置１０のネットワーク設定が完了した旨が、ユーザ３にフィードバックされる。
【００７５】
なお再生装置１０とアクセスポイント５との接続が失敗した場合には、その旨のエラー通知が携帯端末３０に表示される。携帯端末３０のタッチパネル３６には、例えば接続が失敗した旨のエラー情報が表示され、再度の設定情報の入力が促される。
【００７６】
以上、本実施形態に係るコンテンツ再生システム１００では、再生装置１０から送信されるビーコン信号５０をもとに、携帯端末３０と再生装置１０とが通信可能に接続される。従って携帯端末３０と再生装置１０との接続が簡単に実現可能となる。また携帯端末３０から再生装置１０までの距離が所定の閾値以下となった場合に、再生装置１０に、アクセスポイント５との接続のための設定情報が送信される。これによりセキュリティの向上を図ることができる。
【００７７】
再生装置１０をアクセスポイント５へ接続させるために、再生装置１０及び携帯端末３０の間で無線ＬＡＮ通信を確立する、又はBluetoothペアリングを実行する方法が考えられる。携帯端末３０上でアクセスポイント５の選択及び設置情報の入力を行い、その情報が無線ＬＡＮ通信、又はＢＴ通信を介して、再生装置１０へ送信される。これにより再生装置１０のネットワーク設定が実現する。
【００７８】
しかしながらこの方法では、再生装置１０をアクセスポイントモード、又はペアリングモードに設定するという再生装置１０側での操作が必要となってしまう。また携帯端末３０側でも、無線ＬＡＮ接続をアクセスポイント５から再生装置１０へ切替える操作や、Bluetoothペアリングを実行するための操作が必要となる。すなわちユーザ３にとって複雑な操作が必要となってしまい、ネットワーク設定の操作性が低い。この結果、ユーザ３が操作に迷ってしまい、ネットワーク設定ができない可能性も十分に考えられる。
【００７９】
これに対して本実施形態では、再生装置１０がＯＮ状態であれば、ネットワーク初期設定が実行されていなくとも、ＢＬＥビーコンを利用することで当該再生装置１０を簡単に検出することが可能である。また検出した再生装置１０とのＢＬＥ接続が容易に実現される。すなわち機器発見等のために特別なインフラを準備する必要がなく、無駄なコストを省くことができる。
【００８０】
一方で、上記したペアリングレスのＢＬＥ接続では、ユーザ３が意図しない機器と携帯端末３０とが接続されてしまう可能性も否定できない。従ってネットワークの設定情報を送信した際に、当該意図しない機器にも設定情報が送信される可能性がある。
【００８１】
そこで本実施形態では、ＢＬＥ通信を利用した近接認証が実行される。これによりユーザ３が所望する再生装置１０、すなわち目の前にある再生装置１０のみに、設定情報を送信することが可能となる。この結果、他の機器への設定情報の誤送信や、他の機器を利用して設定情報を不正に取得しようとする行為を防止することが可能となり、非常に高いセキュリティが実現する。すなわちアクセスポイント５への接続を簡単かつ安全に実行することが可能となる。
【００８２】
なお近接認証として、ＮＦＣ（Near Field Communication）を利用する方法もある。しかしながらＮＦＣそのものの認知度が低いことやＮＦＣデバイス位置（ＮＦＣマークの位置）の視認性が低い等の問題がある。例えばユーザ３がどの位置に携帯端末３０をタッチさせたらよいか迷ってしまう場合や、タッチ動作自体がなかなか検出されずストレスとなってしまう場合等も起こり得る。
【００８３】
これに対して本実施形態では、１ｍ以内といったやや距離をとった近接検出が可能である。従ってユーザ３にとってはある程度の距離以内に近付くという一般的な動作をすればよいので、簡単に近接認証を行うことが可能となる。またユーザ３にとって難しい技術の認知が不要となる。すなわち本技術に係る情報処理方法によれば、高いセキュリティを維持しつつ、ネットワーク設定の操作性を向上させることが可能となる。
【００８４】
＜その他の実施形態＞
本技術は、以上説明した実施形態に限定されず、他の種々の実施形態を実現することができる。
【００８５】
図７は、ビーコン信号をもとに検出された再生装置を表示するデバイスリストの他の構成例を示す図である。図７Ｂに示す例では、再生装置１０Ａ及び１０Ｂの２つの再生装置が表示されている。また再生装置の情報として、携帯端末から各再生装置までの距離が表示される。これによりユーザは、デバイスリストに表示された再生装置が、実際のどの装置であるかを、自分からの距離をもとに、直感的に把握することができる。デバイスリストとして、距離が近い再生装置から順番にリスト表示することも有効である。
【００８６】
アクセスポイントへの接続対象となる再生装置として、複数の再生装置１０Ａ及び１０Ｂがともに選択可能であってもよい。この場合、再生装置１０Ａ及び１０Ｂの各々に対して、携帯端末との距離が閾値以下となる場合に近接認証が成功とされ、ＳＳＩＤ及びパスワードが送信される。もちろん３つ以上の再生装置が同時に選択されてもよい。
【００８７】
例えば再生装置１０Ａ及び１０Ｂに対して、順番に携帯端末が近付けられ、各再生装置に対して順番に近接認証が実行される。そして近接認証が成功した再生装置から順番に設定情報が送信される。あるいは、携帯端末が再生装置１０Ａから閾値以内の位置であり、かつ再生装置１０Ｂから閾値以内の位置に移動した場合に、近接認証が成功され、再生装置１０Ａ及び１０Ｂの両方に設定情報が送信されてもよい。
【００８８】
携帯端末のタッチパネルやスピーカからは、例えば「まず再生装置１０Ａに携帯端末を近付けて下さい。その後、再生装置１０Ｂに携帯端末を近付けて下さい」等の案内情報が出力される。あるいは「両方の機器に対して同時に１ｍ以内となるように、携帯端末を近付けて下さい」等の案内情報が出力される。これによりユーザの操作性が向上し、簡単にネットワーク設定を実行することが可能となる。
【００８９】
本技術を用いて、携帯端末及び再生装置のBluetoothペアリングを実行することも可能である。例えばＢＬＥ通信を利用した近接認証が成功した場合に、ＢＬＥ通信を介して、Bluetoothアドレス及びペアリングの要求を含む設定情報が、携帯端末から再生装置に送信される。再生装置は、受信したBluetoothアドレスに対してペアリングを実行する。これにより再生装置をペアリングモードに設定することなく、簡単かつ安全にBluetoothペアリングを確立することが可能となる。また本技術をBluetoothのハンドオーバーに適用することも可能である。なおここでは、携帯端末が第２の装置に相当する。
【００９０】
上記では、本技術に係る第１の装置として、コンテンツを再生可能な再生装置を例に挙げた。しかしながらこれに限定されず、任意のネットワーク対応機が第１の装置として適用可能である。
【００９１】
本技術は、接続先のアクセスポイントの変更にも適用可能である。この場合、図５Ａ等に示すデバイスリストには、接続設定の情報として、接続先のアクセスポイントの情報が表示される。ユーザによりアクセスポイントを変更するための操作が入力され、新たな接続先のアクセスポイントが選択される。その後ＢＬＥ通信を利用した近接認証が成功した場合に、新たなアクセスポイントのＳＳＩＤやパスワードが再生装置に送信される。これにより簡単かつ安全にアクセスポイントの変更を実行することができる。
【００９２】
上記では、無線ＬＡＮ通信を介して携帯端末に接続されているアクセスポイントが、接続先のアクセスポイントとして選択された。これに限定されず、携帯端末が接続されていないアクセスポイントへの接続設定を実行することも可能である。この場合、携帯端末のタッチパネルに、アクセスポイントの選択画面として、接続可能なアクセスポイントがリスト表示される。
【００９３】
テレビ装置等のビジュアル機器とモバイル機器とのペアリング（機器登録）として、両方の機器に同じパスコードを表示させ、それらが合致していることをユーザに確認してもらうことでペアリングを行う方法がある。この方法に代えて、例えば上記したＢＬＥを利用した近接認証を用いることで、パスコードによる認証を省略することが可能となる。この結果、ユーザの操作性を向上させることができる。
【００９４】
第１の装置から送信されるビーコン信号に、通信可能な接続の要求が含まれてもよい。そしてユーザによる第１の装置に対する選択動作に応じて、当該接続要求に応答し、ユーザが使用するコンピュータと第１の装置との通信可能な接続が確立されてもよい。
【００９５】
上記ではＢＬＥ規格に準拠した近距離無線通信やビーコン信号を例として挙げたが、本技術を実施するための通信規格は限定されない。また上記ではペアリングレスによるＢＬＥ通信が確立されたが、ＳＳＩＤ等の設定情報を送信するために、携帯端末と再生装置とがペアリングされてもよい。
【００９６】
以上説明した本技術に係る特徴部分のうち、少なくとも２つの特徴部分を組み合わせることも可能である。すなわち各実施形態で説明した種々の特徴部分は、各実施形態の区別なく、任意に組み合わされてもよい。また上記で記載した種々の効果は、あくまで例示であって限定されるものではなく、また他の効果が発揮されてもよい。
【００９７】
なお、本技術は以下のような構成も採ることができる。
（１）コンピュータにより実行される情報処理方法であって、
第１の装置から送信されるビーコン信号をもとに前記第１の装置を検出し、前記検出された第１の装置と前記コンピュータとを通信可能に接続し、
通信可能に接続された前記第１の装置から受信した信号の強度をもとに、前記コンピュータから前記第１の装置までの距離を算出し、
前記算出された距離が所定の閾値以下の場合に、前記第１の装置と第２の装置とを通信可能に接続させるための設定情報を、前記第１の装置に送信する
情報処理方法。
（２）（１）に記載の情報処理方法であって、
前記算出ステップは、前記第１の装置へ所定の問い合わせ信号を送信し、前記第１の装置からの前記問い合わせ信号に対する応答信号の強度をもとに、前記距離を算出する
情報処理方法。
（３）（１）又は（２）に記載の情報処理方法であって、
前記算出ステップは、前記第１の装置から受信した前記ビーコン信号の強度をもとに、前記距離を算出する
情報処理方法。
（４）（１）から（３）のうちいずれか１つに記載の情報処理方法であって、さらに、
前記コンピュータから前記第１の装置までの距離が前記閾値以下となるように、前記コンピュータのユーザを案内する案内情報を出力する
情報処理方法。
（５）（１）から（４）のうちいずれか１つに記載の情報処理方法であって、さらに、
前記ビーコン信号をもとに検出された前記第１の装置を、前記コンピュータが有する表示部に表示し、
前記接続ステップは、前記表示部に表示された前記第１の装置に対するユーザの選択操作に応じて、当該選択された第１の装置と前記コンピュータとを接続する
情報処理方法。
（６）（５）に記載の情報処理方法であって、
前記表示ステップは、前記検出された第１の装置の前記第２の装置との接続に関する状態情報を表示する
情報処理方法。
（７）（５）又は（６）に記載の情報処理方法であって、
前記表示ステップは、前記コンピュータから前記検出された第１の装置までの距離を、前記表示部に表示する
情報処理方法。
（８）（１）から（７）のうちいずれか１つに記載の情報処理方法であって、
前接続ステップは、ＢＬＥ（Bluetooth Low Energy）規格に準拠した前記ビーコン信号をもとに、前記第１の装置と前記コンピュータとをＢＬＥ通信が可能に接続し、
前記送信ステップは、前記ＢＬＥ通信を介して、前記設定情報を送信する
情報処理方法。
（９）（１）から（８）のうちいずれか１つに記載の情報処理方法であって、
前記第２の装置は、無線ネットワークを構築するアクセスポイントであり、
前記送信ステップは、前記アクセスポイントを識別するＳＳＩＤ（Service Set Identifier）、及びパスワードを含む前記設定情報を送信する
情報処理方法。
（１０）（１）から（９）のうちいずれか１つに記載の情報処理方法であって、
前記第２の装置は、前記コンピュータであり、
前記送信ステップは、Bluetooth（登録商標）アドレス、及びペアリングの要求を含む前記設定情報を送信する
情報処理方法。
（１１）（１）から（１０）のうちいずれか１つに記載の情報処理方法であって、
前記第１の装置は、コンテンツを再生可能な再生装置であり、
前記情報処理方法は、さらに、前記無線ネットワークを介して前記再生装置にコンテンツ再生の指示を送信する
情報処理方法。
（１２）（１）から（１１）のうちいずれか１つに記載の情報処理方法であって、
前記接続ステップは、複数の第１の装置を検出し、前記検出された複数の第１の装置の各々と前記コンピュータとを接続し、
前記送信ステップは、通信可能に接続された前記複数の第１の装置の各々に対して、前記コンピュータとの距離が前記閾値以下となる場合に、前記設定情報を送信する
情報処理方法。
【符号の説明】
【００９８】
１…ホームネットワーク
３…ユーザ
５…アクセスポイント
１０…再生装置
３０…携帯端末
３５…ディスプレイ
３６…タッチパネル
１１、４１…ネットワークモジュール
１２、４２…Bluetoothモジュール
４３…再生装置の情報
４５…携帯端末を近付けることを促す旨のＧＵＩ
４６…設置情報の入力画面
５０…ビーコン信号
１００…コンテンツ再生システム
【図１】
2017110035.tif 000003
【図２】
2017110035.tif 000004
【図３】
2017110035.tif 000005
【図４】
2017110035.tif 000006
【図５】
2017110035.tif 000007
【図６】
2017110035.tif 000008
【図７】
2017110035.tif 000009
【国際調査報告】
2017110035.tif 000010
2017110035.tif 000011